(57)【要約】      （修正有）【課題】ハンドルの不用意な回動を防止するとともに、発射強度を容易に調整する。【解決手段】発射ハンドル装置は、所定の収容空間を画定する壁面部と、収容空間を所定の開放方向に開放するための開口部と、を含む収容ケースと、遊技球の発射強度を調整するために所定の回動軸線の回りに正逆両方向に無制限に回動可能であり、収容ケースの収容空間の内部に配置されるハンドルと、遊技者によるハンドルの接触を検出するための接触検出部と、を備える。ハンドルは、所定の内部操作空間を画定する導電性の内周形成部を含む。内部操作空間は、遊技者の手指が内周形成部に接触可能となるように、収容ケースの開口部を介して所定の開放方向に開放する。接触検出部は、内周形成部と電気的に接続される。【選択図】図２５
2018099219.tif 000002
【特許請求の範囲】
【請求項１】
所定の収容空間を画定する壁面部と、収容空間を所定の開放方向に開放するための開口部と、を含む収容ケースと、
遊技球の発射強度を調整するために所定の回動軸線の回りに正逆両方向に無制限に回動可能であり、収容ケースの収容空間の内部に配置されるハンドルと、
遊技者によるハンドルの接触を検出するための接触検出部と、を備え、
ハンドルは、所定の内部操作空間を画定する導電性の内周形成部を含み、
内部操作空間は、遊技者の手指が内周形成部に接触可能となるように、収容ケースの開口部を介して所定の開放方向に開放し、
接触検出部は、内周形成部と電気的に接続される発射ハンドル装置。
【請求項２】
ハンドルは、内周形成部に連結され、所定の回動軸線の方向に延びる導電性の回動軸部を含み、
内周形成部は、回動軸部から放射状に延びる多数の導電性のスポーク部を含む請求項１または請求項２に記載の発射ハンドル装置。
【請求項３】
ハンドルは、多数の導電性のスポーク部の先端が連結される円形リム部を含み、
収容ケースは、開口部の周縁にわたって配置され、円形リム部が開口部から露出しないように円形リム部を覆う覆い部を含む請求項２に記載の発射ハンドル装置。
【請求項４】
ハンドルは、内周形成部に連結され、所定の回動軸線の方向に延びる導電性の回動軸部を含み、
接触検出部は、回動軸部に固定される導電性の環状部材と、環状部材と摺接する導電性の摺接部材と、を含み、
摺接部材は、装置フレームに固定される請求項１乃至請求項３のいずれかに記載の発射ハンドル装置。
【請求項５】
ハンドルは、所定の回動軸線の方向に延びる回動軸部と、回動軸部の直径より大きな直径を有する円形リム部と、を含み、
内周形成部は、回動軸部から所定の開放方向に湾曲して延びて円形リム部に連結され、
収容ケースの開口部の周縁にわたって配置され、円形リム部、または、円形リム部の近傍位置でハンドルに取り付けられる部材が回動することを案内する円形案内部を、さらに備える請求項１乃至請求項４のいずれかに記載の発射ハンドル装置。
【請求項６】
ハンドルは、内周形成部に連結され、所定の回動軸線の方向に延びる回動軸部を含み、
回動軸部に連結され、ハンドルに回動抵抗を付与する抵抗付与手段を、さらに備える請求項１乃至請求項５のいずれかに記載の発射ハンドル装置。
【請求項７】
抵抗付与手段は、回動出力軸を有するオイルダンパと、回動出力軸に固定される第１歯車と、回動軸部に固定され、第１歯車と噛み合う第２歯車と、を含む請求項６に記載の発射ハンドル装置。
【請求項８】
収容ケースは、開口部が形成された箇所から所定の方向に延びる載置部を含み、
載置部は、遊技者の手が載置可能な載置面を有する請求項１乃至請求項７のいずれかに記載の発射ハンドル装置。
【請求項９】
請求項１乃至請求項８のいずれかに記載の発射ハンドル装置と、
ハンドルの回動方向、および回動量を検出するための回動検出部と、
接触検出部が遊技者によるハンドルの接触を検出している間に、回動検出部が検出するハンドルの回動方向、および回動量に従って、発射強度を設定する発射強度設定部と、
発射強度設定部により設定される発射強度に従って、遊技球を打撃する打撃部を作動させる作動部と、を備える弾球遊技機。
【発明の詳細な説明】
【技術分野】
【０００１】
本発明は、パチンコ機、アレンジボール機などの弾球遊技機において、遊技者による回動操作が可能なハンドルを備え、ハンドルの回転量に応じて遊技球の発射強度を設定する発射ハンドル装置に関する。
【背景技術】
【０００２】
従来、弾球遊技機のハンドルは、初期位置に戻るようにスプリングにより付勢される。遊技者は、所望の発射強度を維持するために、スプリングのバネ力に抗してハンドルを所望の回動位置に保持する必要がある。スプリングのバネ力に抗してハンドルを長時間保持することは、遊技者にとって苦痛であり、遊技に集中することができなくなる。
【０００３】
スプリングのバネ力に抗してハンドルを長時間保持する問題を解決するために、特許文献１に記載の打球発射装置が提案された。特許文献１に記載の装置は、遊技者が把持するハンドルと、ハンドルと連結されたロータリエンコーダと、タッチ電極と、カウンタ回路と、を備える。タッチ電極は、ハンドルの前面に接続される。遊技者が、ハンドルを把持してタッチ電極に接触した状態で、ハンドルを正回転させている間、カウンタ回路は、ロータリエンコータからのパルス信号の数を加算し、ハンドルを逆回転させている間、カウンタ回路は、ロータリエンコータからのパルス信号の数を減算する。遊技者が、ハンドルから手指を離すと、カウンタ回路は「０」にリセットされる。ロータリソレノイドを含む発射装置の発射強度は、カウンタ回路のカウント値に応じて設定される。
【先行技術文献】
【特許文献】
【０００４】
【特許文献１】特開平４−３６１７６８号公報
【発明の概要】
【発明が解決しようとする課題】
【０００５】
特許文献１に記載の装置は、ハンドルを初期位置に戻すスプリングを必要としないことから、遊技者が発射装置の発射強度を所望の強度に維持することが容易になる点で、有効である。しかし、特許文献１に記載の装置では、タッチ電極がハンドルの前面に配置されることから、遊技中でない間に、遊技者の身体の一部がタッチ電極に接触してハンドルを回転させてしまうおそれがある。
【０００６】
不用意にハンドルが回転することを防止するためにハンドルの回動位置を保持するための保持力を大きくする構成が考えられる。しかし、保持力を大きくすると、遊技中において、遊技者がハンドルを回動操作するときに大きな操作力を必要とすることから、発射装置の発射強度を容易に調整することができない問題がある。
【０００７】
そこで、本発明は、上記の問題に鑑みてなされたものであり、ハンドルの不用意な回動を防止するとともに、発射強度を容易に調整することができる弾球遊技機の発射ハンドル装置を提供することを目的とする。
【課題を解決するための手段】
【０００８】
（第１発明態様、および、その具体的態様）
請求項１に記載の第１発明態様は、所定の収容空間を画定する壁面部と、収容空間を所定の開放方向に開放するための開口部と、を含む収容ケースと、遊技球の発射強度を調整するために所定の回動軸線の回りに正逆両方向に無制限に回動可能であり、収容ケースの収容空間の内部に配置されるハンドルと、遊技者によるハンドルの接触を検出するための接触検出部と、を備え、ハンドルは、所定の内部操作空間を画定する導電性の内周形成部を含み、内部操作空間は、遊技者の手指が内周形成部に接触可能となるように、収容ケースの開口部を介して所定の開放方向に開放し、接触検出部は、内周形成部と電気的に接続される発射ハンドル装置である。
【０００９】
本発明態様の発射ハンドル装置は、パチンコ機、アレンジボール機、雀球遊技機などの弾球遊技機に使用される遊技球を発射させるために、遊技者が回動操作するハンドル装置であればよい。
【００１０】
本発明態様では、内周形成部の形状は、内部操作空間を形成することができる形状であれば、限定されない。たとえば、内周形成部の形状は、円筒形、円錐形、半球形状、多角形の筒状形状などの形状でもよい。
【００１１】
本発明態様では、内周形成部は、内部操作空間を画定する部分を有する構成であればよく、その確定する部分は、連続した面であってもよいし、間隔をあけて配置される多数の棒状部分であってもよい。内部操作空間を画定する部分が、連続した内周面である場合、その内周面の全体が導電性を有する構成であってもよいし、内周面の周方向に間隔をあけて導電性の部分が配置される構成であってもよい。
【００１２】
本発明態様の発射ハンドル装置は、ハンドルの回動を検出するための回動検出部を備える構成であってもよいし、回動検出部を備えない構成であってもよい。本発明態様の発射ハンドル装置が回動検出部を備えない構成である場合、弾球遊技機が、ハンドルに連結される回動部材と、その回動部材に連結される回動検出部と、を備える構成となる。
【００１３】
請求項２に記載の具体的態様では、ハンドルは、内周形成部に連結され、所定の回動軸線の方向に延びる導電性の回動軸部を含み、内周形成部は、回動軸部から放射状に延びる多数の導電性のスポーク部を含む。
【００１４】
本具体的態様では、多数の導電性のスポーク部の先端が、リム部により連結される構成であってもよいし、間隔をあけて離れる構成であってもよい。
【００１５】
請求項３に記載の具体的態様では、ハンドルは、多数の導電性のスポーク部の先端が連結される円形リム部を含み、収容ケースは、開口部の周縁にわたって配置され、円形リム部が開口部から露出しないように円形リム部を覆う覆い部を含む。
【００１６】
本具体的態様では、円形リム部が、導電性を有する構成であってもよいし、絶縁性を有する構成であってもよい。
【００１７】
請求項４に記載の具体的態様では、ハンドルは、内周形成部に連結され、所定の回動軸線の方向に延びる導電性の回動軸部を含み、接触検出部は、回動軸部に固定される導電性の環状部材と、環状部材と摺接する導電性の摺接部材と、を含み、摺接部材は、装置フレームに固定される。
【００１８】
本具体的態様では、摺接部材は、環状部材の全周にわたって接触する構成であってもよいし、環状部材と部分的に接触する構成であってもよい。
【００１９】
請求項５に記載の具体的態様では、ハンドルは、所定の回動軸線の方向に延びる回動軸部と、回動軸部の直径より大きな直径を有する円形リム部と、を含み、内周形成部は、回動軸部から所定の開放方向に湾曲して延びて円形リム部に連結される。本具体的態様は、収容ケースの開口部の周縁にわたって配置され、円形リム部、または、円形リム部の近傍位置でハンドルに取り付けられる部材が回動することを案内する円形案内部を、さらに備える。
【００２０】
本具体的態様では、遊技者の手指が内周形成部に接触して内周形成部を押圧するときに、円形リム部が、所定の回動軸線と直交する方向に変位しないように、円形案内部は、円形リム部の近傍位置でハンドルに取り付けられる部材を案内する構成であればよいので、円形リム部の近傍位置は、回動軸部よりも円形リブ部に近い位置であればよい。
【００２１】
請求項６に記載の具体的態様では、ハンドルは、内周形成部に連結され、所定の回動軸線の方向に延びる回動軸部を含む。本具体的態様は、回動軸部に連結され、ハンドルに回動抵抗を付与する抵抗付与手段を、さらに備える。
【００２２】
請求項７に記載の具体的態様は、抵抗付与手段は、回動出力軸を有するオイルダンパと、回動出力軸に固定される第１歯車と、回動軸部に固定され、第１歯車と噛み合う第２歯車と、を含む。
【００２３】
請求項８に記載の具体的態様では、収容ケースは、開口部が形成された箇所から所定の方向に延びる載置部を含み、載置部は、遊技者の手が載置可能な載置面を有する。
【００２４】
（第２発明態様）
請求項９に記載の第２発明態様は、第１発明態様、または、その具体的態様の発射ハンドル装置と、ハンドルの回動方向、および回動量を検出するための回動検出部と、接触検出部が遊技者によるハンドルの接触を検出している間に、回動検出部が検出するハンドルの回動方向、および回動量に従って、発射強度を設定する発射強度設定部と、発射強度設定部により設定される発射強度に従って、遊技球を打撃する打撃部を作動させる作動部と、を備える弾球遊技機である。
【発明の効果】
【００２５】
（第１発明態様、および、第２発明態様の効果）
請求項１または請求項９に記載の各発明態様では、ハンドルは、収容ケースの収容空間の内部に配置され、遊技球の発射強度を調整するために所定の回動軸線の回りに正逆両方向に無制限に回動可能である。ハンドルは、所定の内部操作空間を画定する導電性の内周形成部を含む。内部操作空間は、遊技者の手指が内周形成部に接触可能となるように、収容ケースの開口部を介して所定の開放方向に開放する。この結果、ハンドルの内周形成部が収容ケースの収容空間に配置されることから、ハンドルの不用意な回動を防止するとともに、発射強度を容易に調整することができる。
【００２６】
（具体的態様の効果）
請求項２に記載の具体的態様では、ハンドルは、内周形成部に連結され、所定の回動軸線の方向に延びる導電性の回動軸部を含む。内周形成部は、回動軸部から放射状に延びる多数の導電性のスポーク部を含む。この結果、遊技者は、指先で各スポーク部に接触しながらハンドルを回動させることができ、発射強度を調整する操作が容易になる。
【００２７】
請求項３に記載の具体的態様では、ハンドルは、多数の導電性のスポーク部の先端が連結される円形リム部を含む。覆い部は、開口部の周縁にわたって配置され、円形リム部が開口部から露出しないように円形リム部を覆う。この結果、各スポーク部の先端が円形リム部に連結されることから、遊技者が各スポーク部を押圧したときでも、各スポーク部が変形することを低減することができる。また、覆い部が円形リム部を覆うことから、遊技者の身体の一部が各スポーク部に不用意に接触することを確実に防止することができる。
【００２８】
請求項４に記載の具体的態様では、ハンドルは、内周形成部に連結され、所定の回動軸線の方向に延びる導電性の回動軸部を含む。接触検出部は、回動軸部に固定される導電性の環状部材と、環状部材と摺接する導電性の摺接部材と、を含み、摺接部材は、装置フレームに固定される。この結果、固定される摺接部材が、回動する環状部材と摺接することから、接触検出部は、遊技者の手指が内周形成部に接触したことを確実に検出することができる。
【００２９】
請求項５に記載の具体的態様では、ハンドルは、所定の回動軸線の方向に延びる回動軸部と、回動軸部の直径より大きな直径を有する円形リム部と、を含む。内周形成部は、回動軸部から所定の開放方向に湾曲して延びて円形リム部に連結される。円形案内部は、収容ケースの開口部の周縁にわたって配置され、円形リム部、または、円形リム部の近傍位置でハンドルに取り付けられる部材が回動することを案内する。この結果、円形案内部が、円形リム部、または、ハンドルに取り付けられる部材を案内することから、遊技者が内周形成部を押圧したときでも、ハンドルを円滑に回動させることができる。
【００３０】
請求項６に記載の具体的態様では、ハンドルは、内周形成部に連結され、所定の回動軸線の方向に延びる回動軸部を含む。抵抗付与手段は、回動軸部に連結され、ハンドルに回動抵抗を付与する。この結果、抵抗付与手段がハンドルに回動抵抗を付与することから、遊技者は、内周形成部に軽く接触するのみで、ハンドルの回動位置を容易に保持することができる。
【００３１】
請求項７に記載の具体的態様では、オイルダンパの回動出力軸に固定される第１歯車は、回動軸部に固定される第２歯車と噛み合う。この結果、第１および第２歯車の噛み合いにより、オイルダンパの回動抵抗力を回動軸部に確実に伝達することができる。
【００３２】
請求項８に記載の具体的態様では、収容ケースは、開口部が形成された箇所から所定の方向に延びる載置部を含む。載置部は、遊技者の手が載置可能な載置面を有する。この結果、遊技者は、遊技中に手指を載置面に載せることにより、手指に疲労感を覚えることなく、長時間ハンドルを回動操作することができる。
【図面の簡単な説明】
【００３３】
【図１】本発明の一実施形態である発射ハンドル装置４０を備えるパチンコ遊技機１の正面図である。
【図２】発射ハンドル装置４０の斜視図である。
【図３】発射ハンドル装置４０の分解斜視図である。
【図４】図２に示すＡ−Ａ線に沿って切断された発射ハンドル装置４０の右側断面図である。
【図５】各構成部分が組み付けられた前方ユニット部４８を後方から見た斜視図である。
【図６】収容ケース６０の正面図である。
【図７】収容ケース６０の背面図である。
【図８】ハンドル６４の正面図である。
【図９】ハンドル６４の右側面図である。
【図１０】ハンドル６４の背面図である。
【図１１】光伝導体６６の右側面図である。
【図１２】光伝導体６６の背面図である。
【図１３】光放射体６８の正面図である。
【図１４】光放射体６８の右側面図である。
【図１５】各構成部分が組み付けられた後方ユニット部５０を前方から見た斜視図である。
【図１６】後方ユニット部５０を後方から見た斜視図である。
【図１７】後方ユニット部５０の正面図である。
【図１８】図１７に示すＢ−Ｂ線に沿って切断された後方ユニット部５０の右側断面図である。
【図１９】取付ベース７０の正面図である。
【図２０】取付ベース７０の背面図である。
【図２１】補助取付体９０の正面図である。
【図２２】補助取付体９０の左側面図である。
【図２３】ダンパ機構８８の正面図である。
【図２４】パチンコ遊技機１における遊技球の発射動作に関係する電気的構成を示すブロック図である。
【図２５】遊技者が手指ＨＡによりハンドル６４を回動操作する様子を示す発射ハンドル装置４０の左側断面図である。
【発明を実施するための形態】
【００３４】
［実施形態］
以下に、本発明の一実施形態である発射ハンドル装置を備えるパチンコ遊技機について、図面を参照して説明する。図１は、パチンコ遊技機１の全体構成を示す正面図である。なお、図１に矢印で示す２つの方向を、上下方向、および左右方向とし、両方向に直交する方向を、前後方向として、図２以降の図面でも同様に、各方向を示す。
【００３５】
＜パチンコ遊技機１の全体構成＞
パチンコ遊技機１は、遊技盤１０を有する。遊技盤１０は、パチンコ遊技が実行される部分であり、ガラス板と、その背後にある多数の釘が打設された盤面とを有する。パチンコ遊技機１は、上皿１２と下皿１４とを有する。上皿１２は、凹部１６を有する。凹部１６は、右方に向かって細くなるテーパ形状に形成され、左方から右方向に向って下る傾斜面を有する。凹部１６の右端近辺の幅は、遊技球の直径と略同じ幅に設定される。凹部１６の左端には、凹部１６に臨む賞球排出口１８が設けられる。賞球排出口１８は、遊技の結果生じた賞球を上皿１２に導く開口である。賞球は、パチンコ遊技機１の内部から、賞球排出口１８を介して上皿１２に排出される。上皿１２の凹部１６の右端には、孔２０が設けられる。この孔２０は、案内路２２に連なる。案内路２２は、遊技球の直径と略同じ直径を有する。
【００３６】
上皿１２の構成により、賞球排出口１８を介して上皿１２の凹部１６に排出された遊技球は、凹部１６の傾斜面により、凹部１６の内部を左方から右方に転がり、凹部１６の右端近辺の細くなった部分で一列に整列される。整列された遊技球は、孔２０から案内路２２の中に順に落ち込んでいく。
【００３７】
案内路２２は、その下端で、パチンコ遊技機１に内蔵される発射機構２４と接続される。発射機構２４は遊技盤１０に遊技球を発射する機構である。発射機構２４は、案内路２２から導かれた遊技球を１球ずつ遊技盤１０に発射する。発射機構２４は、図２４に示すロータリソレノイド３０８と、打撃ハンマ３１０とを、含む。
【００３８】
下皿１４は、略直方体形状の箱状に形成され、上側に開口を有する。下皿１４は、上皿１２と連通路２６により連結される。連通路２６は、パチンコ遊技機１の内部で、賞球排出口１８と連結される。上皿１２の凹部１６に遊技球が多くあるために、賞球が、賞球排出口１８から上皿１２の凹部１６に排出し切れなかった場合、上皿１２に排出し切れなかった賞球は、連通路２６を介して下皿１４に導かれる。下皿１４の下面には、落下孔２８が設けられる。この落下孔２８は、遊技者の操作によって開閉自在に構成される。
【００３９】
遊技盤１０の最下方には、外れ玉取入口３０が配置される。遊技盤１０で行われた遊技の結果、いずれの入賞口にも入らずに遊技盤１０の最下方に至った遊技球は外れ玉となり、外れ玉取入口３０から遊技盤１０の内部に取込まれる。外れ玉取入口３０は、遊技盤１０の裏面に開けられた外れ玉排出口に、外れ玉移送管によって接続される。
【００４０】
発射ハンドル装置４０は、パチンコ遊技機１の右下部分に配置される。発射ハンドル装置４０は、発射機構２４により発射される遊技球の発射強度を調整する装置である。
【００４１】
＜発射ハンドル装置４０の詳細な構成＞
発射ハンドル装置４０の詳細な構成について、図面を参照して説明する。図２は、発射ハンドル装置４０が、パチンコ遊技機１に固定される取付フレーム４２に取り付けられた状態を示す斜視図である。図３は、発射ハンドル装置４０の分解斜視図である。
【００４２】
図３において、発射ハンドル装置４０は、前方ユニット部４８と、後方ユニット部５０と、を含む。後方ユニット部５０が、前方ユニット部４８に、ねじなどの固定手段により取り付けられることにより、発射ハンドル装置４０は、ユニット化される。ユニット化された発射ハンドル装置４０は、ねじなどの固定手段により、取付フレーム４２に取り付けられる。前方ユニット部４８は、収容ケース６０と、案内リング６２と、ハンドル６４と、光伝導体６６と、光放射体６８と、を備える。後方ユニット部５０は、取付ベース７０と、基板７２と、基板押え７４と、導電リング７６と、摺接体７８と、タッチセンサ８０と、検出円板８２と、回動センサ８４と、連結歯車８６と、ダンパ機構８８と、補助取付体９０と、停止ボタン組体９２と、を備える。
【００４３】
＜前方ユニット部４８の詳細な構成＞
前方ユニット部４８の詳細な構成について、図３乃至図１４を参照して説明する。図４は、図２に示すＡ−Ａ線に沿って切断された発射ハンドル装置４０の右側断面図である。図５は、各構成部分が組み付けられた前方ユニット部４８を後方から見た斜視図である。前方ユニット部４８において、案内リング６２と、ハンドル６４と、光伝導体６６と、光放射体６８とは、図４、および図５に示すように、収容ケース６０に組み付けられる。
【００４４】
（収容ケース６０の構成）
収容ケース６０は、図３に示すように、筒状ベース部１００と、載置部１０２と、を有する。収容ケース６０は、ＡＢＳ樹脂材料などの合成樹脂材料により一体に成形され、電気的に絶縁性を有する。載置部１０２は、筒状ベース部１００の下方部分から前方に延びる。載置部１０２は、遊技者の手が載置される広さの載置面１０２Ａを有する。
【００４５】
図６、および図７は、収容ケース６０の正面図、および背面図である。図６において、円形の開口部１０４が、筒状ベース部１００の前方に開放して形成される。図４、および図７に示すように、筒状の覆い壁部１０５が、開口部１０４の全周縁にわたって形成され、前後方向に延びる内周壁面を有する。７つの保持溝１０６Ａ〜１０６Ｇが、筒状ベース部１００の外周部分であって、上方の半円周部分に、等しい間隔をあけて配列される。７つの保持溝１０６Ａ〜１０６Ｇの各保持溝は、筒状ベース部１００の後方周縁部において後方に開放して形成され、後方周縁部から前方に向って延びる。円形の嵌合溝１０８が、筒状ベース部１００の前方部分の内部に形成される。開口部１０４の直径は、遊技者の片手が挿入されるのに充分な大きさの直径に設定される。
【００４６】
収容空間ＳＰ１が、図４に示すように、筒状ベース部１００の外周部分により画定される。収容空間ＳＰ１は、ほぼ円筒形状を有し、ハンドル６４、および光伝導体６６を収容する広さを有する。
【００４７】
（案内リング６２の構成）
案内リング６２は、ポリアセタール樹脂材料などの合成樹脂材料により一体に成形され、電気的に絶縁性を有する。案内リング６２は、円形の外周形状を有し、収容ケース６０の嵌合溝１０８に圧入されて収容ケース６０の内部に取り付けられる。円形の案内溝１１２が、図４に示すように、案内リング６２の内部に形成される。
【００４８】
（ハンドル６４の構成）
図８乃至図１０は、ハンドル６４の正面図、右側面図、および背面図である。ハンドル６４は、図９に示すように、回動軸部１１４と、円形リム部１１６と、多数のスポーク部１１８と、を含む。ハンドル６４は、ＡＢＳ樹脂材料などの合成樹脂材料により一体に成形され、銀メッキがハンドル６４全体に施される。この銀メッキにより、ハンドル６４全体が、導電性を有する。
【００４９】
回動軸部１１４は、円形板状部分１２０と、円筒形状部分１２２と、を含む。円筒形状部分１２２は、円形板状部分１２０から後方に延びる。一対の位置決めピン１２４、１２６が、図９に示すように、円形板状部分１２０から後方に向って突出する。一対のねじ孔１２８、１３０が、図１０に示すように、円形板状部分１２０に形成され、ねじ溝を有する。４つの突出部１３２が、円筒形状部分１２２の外周部に間隔をあけて配置され、図９に示すように、円形板状部分１２０から後方に延びる。４つの突出部１３２の各突出部は、図９に示すように、突出量が大きい大突出部分１３４と、大突出部分１３４より突出量が小さい小突出部分１３６と、を有する。
【００５０】
多数のスポーク部１１８は、図９、および図１０に示すように、回動軸部１１４の円形板状部分１２０から円形リム部１１６まで、等しい間隔をあけて放射状に延びる。多数のスポーク部１１８は、略半球状の内部操作空間ＳＰ２が画定されるように、図９に示すように内部操作空間ＳＰ２から外側に湾曲した状態で、円形板状部分１２０から前方に延びる。円形リム部１１６の直径は、図１０に示すように、円形板状部分１２０の直径、および円筒形状部分１２２の直径より充分に大きな直径に設定されるとともに、図４に示すように、収容ケース６０の開口部１０４の直径、すなわち筒状の覆い壁部１０５の内周壁面の直径より大きい直径に設定される。覆い壁部１０５が、円形リム部１１６の全周部分が開口部１０４から露出しないように、図４に示すように、円形リム部１１６の近傍まで後方に延びる。
【００５１】
多数の連結突部１４０が、図９に示すように、円形リム部１１６に近接した位置で、多数のスポーク部１１８の外側部から後方にそれぞれ突出する。
【００５２】
（光伝導体６６の構成）
図１１、および図１２は、光伝導体６６の右側面図、および背面図である。光伝導体６６は、円形係合部１４２と、カバー部１４４と、を含む。カバー部１４４は、図１１に示すように、円形係合部１４２の後方周縁部から後方に湾曲して形成され、略半球形状を有する。光伝導体６６は、ポリカーボネート樹脂材料などの合成樹脂材料から一体に成形され、光を伝導するために透明に構成される。
【００５３】
挿通穴１４６が、カバー部１４４の後方部分に形成される。一対の位置決め孔１４８、１５０が、挿通穴１４６に近接した位置で、カバー部１４４の後方部分に形成される。一対の貫通孔１５２、１５４が、挿通穴１４６に近接した位置で、カバー部１４４の後方部分に形成される。多数の連結孔１５６が、円形係合部１４２に近接した位置で、等しい間隔をあけてカバー部１４４の前方部分に形成される。
【００５４】
図４に示すように、光伝導体６６がハンドル６４を外側から覆うように配置される状態において、円筒形状部分１２２が挿通穴１４６に挿通され、両位置決めピン１２４、１２６が両位置決め孔１４８、１５０に嵌入される。両位置決めピン１２４、１２６の嵌入により、光伝導体６６とハンドル６４とが外周方向に位置決めされる。この位置決め状態において、多数の連結突部１４０が多数の連結孔１５６にそれぞれ嵌入される。取付けねじが両貫通孔１５２、１５４に挿通されて両ねじ孔１２８、１３０にねじ込まれることにより、光伝導体６６がハンドル６４に取り付けられる。
【００５５】
図４に示すように、ハンドル６４、および光伝導体６６が収容ケース６０に組み付けられる状態において、光伝導体６６の円形係合部１４２の前方部分が、案内リング６２の案内溝１１２に嵌合する。この嵌合により、ハンドル６４、および光伝導体６６は、ハンドル６４の回動軸部１１４の軸線、すなわち図４に示す回動軸線ＡＸの回りに回動するように、案内溝１１２に沿って案内される。
【００５６】
（光放射体６８の構成）
図１３、および図１４は、光放射体６８の正面図、および右側面図である。光放射体６８は、支持板部１５８と、６つの放射ヘッド部１６０と、を含む。光放射体６８は、ポリカーボネート樹脂材料などの合成樹脂材料から一体に成形され、光を放射するために透明に構成される。
【００５７】
支持板部１５８は、図１３に示すように、円弧状に湾曲して形成される。６つの放射ヘッド部１６０は、等しい間隔をあけて支持板部１５８に配列され、図１４に示すように、支持板部１５８から前方に突出した状態で配置される。６つの放射ヘッド部１６０は、収容ケース６０の７つの保持溝１０６Ａ〜１０６Ｇのうち、６つの保持溝１０６Ａ〜１０６Ｆに嵌合する。
【００５８】
６つの放射ヘッド部１６０が６つの保持溝１０６Ａ〜１０６Ｆに嵌合した状態において、図４に示すように、光放射体６８は、収容ケース６０の筒状ベース部１００の上方部分に、ねじなどの固定手段により取り付けられる。
【００５９】
＜後方ユニット部５０の詳細な構成＞
後方ユニット部５０の詳細な構成について、図３、図４、および、図１５乃至図２３を参照して説明する。図１５は、各構成部分が組み付けられた後方ユニット部５０を前方から見た斜視図であり、図１６は、後方ユニット部５０を後方から見た斜視図である。図１７、および図１８は、各構成部分が組み付けられた後方ユニット部５０の正面図、および、図１７に示すＢ−Ｂ線に沿って切断された後方ユニット部５０の右側断面図である。
【００６０】
（取付ベース７０の構成）
図１９、および図２０は、取付ベース７０の正面図、および背面図である。取付ベース７０は、円形のベース部１６２と、円形壁部１６４とを有し、ＡＢＳ樹脂材料などの合成樹脂材料により一体に成形される。円形壁部１６４は、図１８に示すように、ベース部１６２の外周縁部から前方に延び、段状に形成される。円形の挿通穴１６６が、図１９に示すように、ベース部１６２の中心位置に形成される。ボタン取付台座１６８が、図１９に示すように、取付ベース７０の前面において左端部に形成される。軸受溝１６８Ａが、図１９に示すように、上下方向に延びてボタン取付台座１６８に形成される。センサ取付台座１７０が、図２０に示すように、ベース部１６２の後面において右下部分に形成される。コネクタ用開口部１７２が、図１９に示すように、ベース部１６２の前面において右上部分に形成される。
【００６１】
７つの保持溝１７４Ａ〜１７４Ｇが、円形壁部１６４の上方の半円周部分に、等しい間隔をあけて配列される。７つの保持溝１７４Ａ〜１７４Ｇの各保持溝は、円形壁部１６４の前方周縁部において前方に開放して形成され、前方周縁部から後方に向って延びる。前方ユニット部４８と、後方ユニット部５０とが組み付けられる状態において、６つの保持溝１７４Ａ〜１７４Ｆは、収容ケース６０の６つの保持溝１０６Ａ〜１０６Ｆと協働して、光放射体６８の６つの放射ヘッド部１６０を保持する。保持溝１７４Ｇは、収容ケース６０の保持溝１０６Ｇと協働して、後述の停止ボタン操作部１８２のヘッド部１８８が揺動可能となる空間を形成する。リング保持壁部１７５が、図２０に示すように、取ベース部１６２の後面において挿通穴１６６と同心円の円形形状に形成される。
【００６２】
（基板７２、および基板押え７４の構成）
基板７２は、図３に示すように、略円形形状を有し、多数の発光ダイオードと、コネクタ部７２Ａとを搭載する。円形開口部１７６が、図３、および図１７に示すように、中心位置に形成される。図１７に示すように、多数の発光ダイオードのうち、１２個の発光ダイオード１７８が、円形開口部１７６の円周方向に等しい間隔をあけて配列されるとともに、別の６個の発光ダイオード１８０が、基板７２の外周縁部に沿って等しい間隔をあけて配列される。１２個の発光ダイオード１７８は、白色の発光ダイオードであり、６個の発光ダイオード１８０は、赤色の発光ダイオードである。
【００６３】
基板押え７４は、円弧状の形状を有し、ＡＢＳ樹脂材料などの合成樹脂材料により一体に成形される。基板押え７４は、基板７２をベース部１６２の前面に取り付けるために、前方から基板７２をベース部１６２に押し付ける。基板押え７４、および基板７２は、ねじなどの固定手段により、ベース部１６２に取り付けられる。基板７２がベース部１６２に取り付けられた状態において、６個の発光ダイオード１８０は、図１７に示すように、６つの保持溝１７４Ａ〜１７４Ｆに対向するように配置される。基板押え７４は、６個の発光ダイオード１８０が前方に向って基板押え７４から露出するように、各発光ダイオードに対応して配置される開口部を有する。基板７２がベース部１６２に取り付けられたときに、基板７２のコネクタ部７２Ａは、図１６に示すように、取付ベース７０のコネクタ用開口部１７２を通して後方に突出する。
【００６４】
（停止ボタン組体９２の構成）
停止ボタン組体９２は、図３に示すように、停止ボタン操作部１８２と、リミットスイッチ１８４と、スイッチ保持体１８６と、を含む。停止ボタン操作部１８２は、光放射体６８の放射ヘッド部１６０と同じ形状のヘッド部１８８と、揺動軸部１９０とを含み、ポリアセタール樹脂材料などの合成樹脂材料により一体に成形される。揺動軸部１９０は、取付ベース７０のボタン取付台座１６８の軸受溝１６８Ａに嵌合可能に形成される。図１５は、停止ボタン組体９２が取付ベース７０に組み付けられた状態を示す。リミットスイッチ１８４は、取付ピンなどの固定手段によりスイッチ保持体１８６に取り付けられた状態において、揺動軸部１９０が軸受溝１６８Ａに嵌合された後に、スイッチ保持体１８６が、揺動軸部１９０を覆うように、ねじなどの固定手段によりボタン取付台座１６８に取り付けられる。停止ボタン組体９２の組み付けにより、停止ボタン操作部１８２は、取付ベース７０に揺動操作可能に取り付けられる。
【００６５】
リミットスイッチ１８４は、オフ状態に弾性力で常時付勢される作動部を有する。停止ボタン組体９２の組み付け状態において、リミットスイッチ１８４の作動部は、図１５に示すように、停止ボタン操作部１８２のヘッド部１８８の右側の面に当接する。作動部から弾性力を受けるヘッド部１８８の後端部は、図１６に示すように、取付ベース７０の保持溝１７４Ｇに係合し、ヘッド部１８８は取付ベース７０から前方に起立した状態に維持される。遊技者が停止ボタン操作部１８２を押圧すると、停止ボタン操作部１８２は揺動してリミットスイッチ１８４の作動部を押圧する。この押圧により、リミットスイッチ１８４はオフ状態からオン状態に切り換わる。
【００６６】
（導電リング７６、および摺接体７８の構成）
導電リング７６は、円形リング形状を有し、導電性、および耐摩耗性を有する材料から成形される。導電リング７６の内周部は、図４に示すように、ハンドル６４の小突出部分１３６と係合する。この係合により、導電リング７６は、ハンドル６４と一体的に回動することができる。導電リング７６の外周部の直径は、図１８に示すように、取付ベース７０の挿通穴１６６の直径より大きい直径に設定される。この直径の設定により、導電リング７６が取付ベース７０に対して前方に移動することが防止される。導電リング７６の外周部は、取付ベース７０のリング保持壁部１７５と嵌合する。この嵌合により、導電リング７６は、リング保持壁部１７５に案内されて回動することができる。
【００６７】
摺接体７８は、略円形リング形状を有し、ＡＢＳ樹脂材料などの合成樹脂材料により一体に成形され、銀メッキが摺接体７８全体に施される。この銀メッキにより、摺接体７８全体が、導電性を有する。摺接体７８は、図１８に示すように、取付ベース７０のベース部１６２の後面に、ねじなどの固定手段により取り付けられる。摺接体７８の内周部は、導電リング７６の外周部と接触する。摺接体７８の内周部の直径は、図１８に示すように、導電リング７６の外周部の直径より小さな直径に設定される。この直径の設定により、導電リング７６が摺接体７８、および取付ベース７０に対して後方に移動することが防止される。
【００６８】
摺接体７８は、図３に示すように、１つのセンサ接続部１９２を含む。センサ接続部１９２は、摺接体７８の外周部から外方に突出して形成される。
【００６９】
（タッチセンサ８０の構成）
タッチセンサ８０は、図１６に示すように、取付ベース７０のセンサ取付台座１７０
に、ねじなどの固定手段により取り付けられる。タッチセンサ８０は、導電接続ラインにより、摺接体７８のセンサ接続部１９２と接続される。タッチセンサ８０は、遊技者の手指がハンドル６４に接触しているか否かを検出する静電容量式のセンサから構成される。遊技者の手指がハンドル６４に接触しているときに、タッチセンサ８０は、対地間静電容量の変化を検出し、遊技者の手指がハンドル６４に接触している間、低レベルの検出信号を発生し、遊技者の手指がハンドル６４から離れたときに、高レベルの検出信号を発生する。
【００７０】
（検出円板８２、回動センサ８４、連結歯車８６、ダンパ機構８８、および補助取付体９０の構成）
検出円板８２は、外周縁部に沿って形成された多数のスリットを有する。前方ユニット部４８において、ハンドル６４の円筒形状部分１２２は、図５に示すように、光伝導体６６から後方に突出する。前方ユニット部４８と後方ユニット部５０とが組み付けられた状態において、円筒形状部分１２２の後方端部は、図４に示すように、基板７２の円形開口部１７６、および取付ベース７０の挿通穴１６６を通して、導電リング７６、および摺接体７８よりも後方に突出して配置される。検出円板８２、および連結歯車８６は、ねじなどの固定手段により、円筒形状部分１２２の後方端部に取り付けられる。遊技者がハンドル６４を回動操作すると、検出円板８２、および連結歯車８６はハンドル６４とともに回動する。
【００７１】
図２１、および図２２は、補助取付体９０の正面図、および左側面図である。図２１において、センサ取付台座１９４が、補助取付体９０の左方部分に形成される。ダンパ取付台座１９６が、補助取付体９０の上方端部分に形成される。ダンパ機構８８は、補助取付体９０のダンパ取付台座１９６に、ねじなどの固定手段により取り付けられる。検出円板８２、および連結歯車８６が円筒形状部分１２２の後方端部に取り付けられた状態において、補助取付体９０は、図４、および図１８に示すように、取付ベース７０の後面に、ねじなどの固定手段により取り付けられる。
【００７２】
補助取付体９０が取付ベース７０の後面に取り付けられた状態において、回動センサ８４は、補助取付体９０のセンサ取付台座１９４に、ねじなどの固定手段により取り付けられる。回動センサ８４は、発光部と、受光部とを備える。回動センサ８４がセンサ取付台座１９４に取り付けられた状態において、回動センサ８４の発光部と、受光部とは、検出円板８２の多数のスリットが形成される領域を挟んで配置される。回動センサ８４は、多数のスリットを光学的に検出し、位相の異なる２つの検出パルス信号を発生する。
【００７３】
図２３は、ダンパ機構８８の正面図である。図２３において、ダンパ機構８８は、オイルダンパ１９８と、出力軸部２００と、出力軸部２００に固定される出力歯車２０２と、を含む。補助取付体９０が取付ベース７０の後面に取り付けられた状態において、出力歯車２０２は、連結歯車８６と噛み合う。出力歯車２０２のピッチ円の直径は、連結歯車８６のピッチ円の直径より充分に小さい直径に設定される。オイルダンパ１９８は、オイルなどの粘性流体を収容し、出力軸部２００に回動抵抗を付与するように構成される。遊技者がハンドル６４を所望の回動量だけ回動操作した後に、ハンドル６４に接触した状態でハンドル６４に回動操作力を付与することを止めたときでも、ダンパ機構８８の作用により、ハンドル６４の回動位置を保持することができる。
【００７４】
＜パチンコ遊技機１の電気的構成＞
パチンコ遊技機１における遊技球の発射動作に関係する電気的構成について、図２４を参照して説明する。図２４は、遊技球の発射動作に関係する電気的構成を示すブロック図である。パチンコ遊技機１におけるパチンコ遊技の全般を制御するための電気的構成は公知であるので、図２４においては省略される。
【００７５】
図２４において、第１制御回路３００は、遊技球の発射強度を設定するとともに、遊技球の発射動作を制御する。第１制御回路３００は、公知のマイクロコンピュータから構成され、ＲＯＭ、およびＲＡＭを備える。ＲＯＭは、発射強度を制御するための主制御プログラムなどを固定記憶し、ＲＡＭは、制御処理結果などを一時記憶する。
【００７６】
タッチ判断回路３０２が、タッチセンサ８０に接続され、タッチセンサ８０から検出信号を受け取る。タッチ判断回路３０２は、所定期間を超える期間継続してタッチセンサ８０から低レベルの検出信号を受け取ったときに、遊技者がハンドル６４に接触していると判断してタッチ判断信号を第１制御回路３００に供給する。
【００７７】
カウンタ回路３０４が、回動センサ８４に接続され、回動センサ８４から位相が異なる２つの検出パルス信号を受け取る。カウンタ回路３０４は、２つの検出パルス信号の位相に基いて、ハンドル６４の回転方向を判断する。カウンタ回路３０４は、ハンドル６４が正回転していると判断したときに、各検出パルス信号に従ってカウント値を増加させ、ハンドル６４が逆回転していると判断したときに、各検出パルス信号に従ってカウント値を減少させる。カウンタ回路３０４がカウントするカウント値は、最大値と最小値「０」との範囲内に制限される。すなわち、カウント値が最大値に達したときには、ハンドル６４が正回転し続けても、カウント値は最大値に制限される。カウント値が最小値「０」に達したときには、ハンドル６４が逆回転し続けても、カウント値は最小値「０」に制限される。
【００７８】
停止ボタン組体９２のリミットスイッチ１８４が、第１制御回路３００に接続され、遊技者が停止ボタン操作部１８２を押圧操作している間、停止検出信号を第１制御回路３００に供給する。
【００７９】
ソレノイド駆動回路３０６が、カウンタ回路３０４に接続され、カウンタ回路３０４から供給されるカウント値に従ってロータリソレノイド３０８を駆動する。ソレノイド駆動回路３０６は、デジタル情報であるカウント値をアナログ信号に変換し、アナログ信号に応じた大きさの駆動電流をロータリソレノイド３０８に供給する。打撃ハンマ３１０が、ロータリソレノイド３０８の回転子に連結され、ロータリソレノイド３０８の駆動電流の大きさに応じた強さで、遊技球を打撃する。
【００８０】
発射タイミング回路３１２は、所定周期で発射タイミングパルス信号をソレノイド駆動回路３０６に供給する。ソレノイド駆動回路３０６は、各発射タイミングパルス信号に従ってロータリソレノイド３０８に駆動電流を供給する。
【００８１】
第１制御回路３００は、タッチ判断回路３０２からタッチ判断信号を受け取らないときに、リセット信号をカウンタ回路３０４に供給する。カウンタ回路３０４は、リセット信号を受け取ったときに、カウント値を最小値「０」にリセットする。また、第１制御回路３００は、リミットスイッチ１８４から停止検出信号を受け取っている間、ソレノイド駆動回路３０６に駆動停止信号を供給し、リミットスイッチ１８４から停止検出信号を受け取っていない間、ソレノイド駆動回路３０６に駆動許可信号を供給する。ソレノイド駆動回路３０６は、駆動停止信号を受け取っている間、ロータリソレノイド３０８の駆動を停止する。
【００８２】
遊技者が停止ボタン操作部１８２の押圧操作を解除したときに、リミットスイッチ１８４からの停止検出信号の供給は停止される。リミットスイッチ１８４から停止検出信号が供給されている間でも、カウンタ回路３０４はカウント動作を継続することから、ソレノイド駆動回路３０６は、リミットスイッチ１８４からの停止検出信号の供給が停止された時点でのカウント値をカウンタ回路３０４から受け取り、その受け取ったカウント値に応じた駆動電流をロータリソレノイド３０８に供給する。
【００８３】
第２制御回路３１４が、遊技球の発射動作に関連する表示動作を制御するために、第１制御回路３００から独立して設けられる。第２制御回路３１４は、タッチ判断回路３０２、表示駆動回路３１６、および、パチンコ遊技機１の電源スイッチ３１８にそれぞれ接続される。第２制御回路３１４は、タッチ判断回路３０２からのタッチ判断信号と、電源スイッチ３１８からの電源オン信号とに従って、表示制御情報を表示駆動回路３１４に供給する。
【００８４】
電源スイッチ３１８から電源オン信号が供給されている間、第２制御回路３１４は、１２個の発光ダイオード１７８の全てを連続点灯させる点灯制御情報を表示駆動回路３１４に供給する。表示駆動回路３１４は、点灯制御情報に従って１２個の発光ダイオード１７８の全てを白色に連続点灯させる。パチンコ遊技機１の電源が遮断されて電源オン信号の供給が停止されたときに、１２個の発光ダイオード１７８の全てが消灯される。
【００８５】
電源スイッチ３１８から電源オン信号が供給されている状態で、タッチ判断信号が供給されていないとき、第２制御回路３１４は、６個の発光ダイオード１８０の各発光ダイオードを順番に点滅させるとともに、その点滅を繰り返し実行させる点滅制御情報を表示駆動回路３１４に供給する。電源スイッチ３１８から電源オン信号が供給されている状態で、タッチ判断信号が供給されている間、第２制御回路３１４は、６個の発光ダイオード１８０の全てを連続点灯させる点灯制御情報を表示駆動回路３１４に供給する。表示駆動回路３１４は、点滅制御情報に従って６個の発光ダイオード１８０の各発光ダイオードを赤色で順番に点滅させ、点灯制御情報に従って６個の発光ダイオード１８０の全てを赤色で連続点灯させる。パチンコ遊技機１の電源が遮断されて電源オン信号の供給が停止されたときに、６個の発光ダイオード１８０の全てが消灯される。
【００８６】
［パチンコ遊技機１における遊技球の発射に関連する動作および作用］
パチンコ遊技機１における遊技球の発射に関連する動作および作用について、図面を参照して説明する。パチンコ遊技機１のパチンコ遊技動作はよく知られているので、その説明を省略し、遊技球の発射に関連する動作および作用について、詳細に説明する。図２５は、遊技者が手指ＨＡによりハンドル６４を回動操作する様子を示す発射ハンドル装置４０の左側断面図である。
【００８７】
遊技者が、電源投入されたパチンコ遊技機１を使用してパチンコ遊技を楽しむために、図２５に示すように、右手の手指ＨＡの手のひらＰＡを載置部１０２の載置面１０２Ａに載せ、ハンドル６４の内部操作空間ＳＰ２に指先ＦＮを差し入れる。遊技者が、指先ＦＮをハンドル６４のスポーク部１１８に接触すると、タッチ判断回路３０２は、タッチセンサ８０から低レベルの検出信号を受け取ってタッチ判断信号を第１制御回路３００に供給する。第１制御回路３００は、リミットスイッチ１８４から停止検出信号を受け取らない限り、駆動許可信号をソレノイド駆動回路３０６に供給する。ソレノイド駆動回路３０６は、駆動許可信号を受け取っている間、ロータリソレノイド３０８の駆動が可能な状態に設定される。
【００８８】
タッチ判断回路３０２は、タッチ判断信号を第２制御回路３１４にも供給する。第２制御回路３１４は、パチンコ遊技機１への電力供給が行われている状態において、タッチ判断信号に従って、点滅制御情報の供給を停止して点灯制御情報を表示駆動回路３１４に供給する。表示駆動回路３１４は、点灯制御情報に従って６個の発光ダイオード１８０の全てを赤色で連続点灯させる。遊技者は、光放射体６８から放射される光が赤色の点滅状態から赤色の連続点灯状態へ変化したことを見ることで、ハンドル６４に接触したこと、および、遊技球の発射強度を調整することができることを、容易に認識することができる。
【００８９】
遊技者が、ハンドル６４のスポーク部１１８に接触した状態で、ハンドル６４を正回転させると、たとえば、図２においてハンドル６４を左回りに回転させると、カウンタ回路３０４は、回動センサ８４からの２つの検出パルス信号に従って、最小値「０」からカウント値を増加させる。ソレノイド駆動回路３０６は、カウンタ回路３０４からのカウント値に応じた駆動電流で、ロータリソレノイド３０８を駆動する。遊技球の発射強度を小さくするために、遊技者が、ハンドル６４のスポーク部１１８に接触した状態で、ハンドル６４を逆回転させると、たとえば、図２においてハンドル６４を右回りに回転させると、カウンタ回路３０４は、回動センサ８４からの２つの検出パルス信号に従って、現在のカウント値からカウント値を減少させる。ソレノイド駆動回路３０６は、カウンタ回路３０４から減少されたカウント値を受け取り、そのカウント値に応じて減少された駆動電流で、ロータリソレノイド３０８を駆動する。
【００９０】
遊技球の発射動作を一時的に停止させるために、遊技者が、たとえば左手で、停止ボタン操作部１８２を押圧操作すると、リミットスイッチ１８４が停止検出信号を第１制御回路３００に供給する。第１制御回路３００は、停止検出信号を受け取っている間、ソレノイド駆動回路３０６に駆動停止信号を供給し続ける。ソレノイド駆動回路３０６は、駆動停止信号を受け取っている間、ロータリソレノイド３０８の駆動を停止する。
【００９１】
遊技者が、停止ボタン操作部１８２の押圧操作を解除すると、第１制御回路３００は、駆動許可信号をソレノイド駆動回路３０６に供給する。ソレノイド駆動回路３０６は、停止ボタン操作部１８２の押圧操作が解除された時点でのカウンタ回路３０４のカウント値を受け取り、そのカウント値に応じた駆動電流をロータリソレノイド３０８に供給する。
【００９２】
遊技者が、ハンドル６４のスポーク部１１８から指先ＦＮを離すと、タッチセンサ８０は、指先ＦＮがハンドル６４から離れたことを表す高レベルの検出信号をタッチ判断回路３０２に供給する。タッチ判断回路３０２は、第１および第２制御回路３００、３１４へのタッチ判断信号の供給を停止する。タッチ判断信号の停止に従って、第１制御回路３００は、カウンタ回路３０４にリセット信号を供給する。カウンタ回路３０４は、リセット信号に従って、カウント値を最小値「０」に設定する。最小値「０」への設定により、ソレノイド駆動回路３０６はロータリソレノイド３０８への駆動電流の供給を停止する。
【００９３】
タッチ判断信号の停止に従って、第２制御回路３１４は、点灯制御情報の供給を停止して点滅制御情報を表示駆動回路３１４に供給する。表示駆動回路３１４は、点滅制御情報に従って６個の発光ダイオード１８０の各発光ダイオードを赤色で順番に点滅させる。遊技者は、光放射体６８から放射される光が赤色の連続点灯状態から赤色の点滅状態へ変化したことを見ることで、ハンドル６４から指先ＦＮが離れたこと、および、遊技球の発射強度の調整を再度行う必要があることを、容易に認識することができる。
【００９４】
［実施形態の効果］
本実施形態では、導電性のハンドル６４が、収容ケース６４の収容空間ＳＰ１の内部に配置され、タッチセンサ８０と電気的に接続される。遊技者は、収容ケース６４の開口部１０４から手指を挿入してハンドル６４の多数のスポーク部１１８に接触してハンドル６４を回動させる。この結果、遊技者が開口部１０４から手指を意識して挿入しない限り、遊技者の身体の一部が不用意にハンドル６４に接触することを防ぐことができる。
【００９５】
本実施形態では、ハンドル６４の構成部分のうちで、開口部１０４に最も近い位置に配置される円形リム部１１６が、図４に示すように、収容ケース６０の覆い壁部１０５により、前方から覆われる。この結果、遊技者の身体の一部が、導電性の円形リム部１１６に不用意に接触することを確実に防止することができる。
【００９６】
本実施形態では、導電リング７６がハンドル６４の回動軸部１２２に取り付けられ、摺接体７８が取付ベース７０に取り付けられる。導電リング７６は、ハンドル６４とともに無制限に回動可能であり、摺接体７８と摺接する。摺接体７８のセンサ接続部１９２が、取付ベース７０に取り付けられるタッチセンサ８０と接続される。この結果、タッチセンサ８０は、無制限に回動するハンドル６４への遊技者の接触を、確実に検出することができる。
【００９７】
本実施形態では、光伝導体６６がハンドル６４に取り付けられる。光伝導体６６の円形係合部１４２の前方部分が、図４に示すように、案内リング６２の案内溝１１２に嵌合する。円形係合部１４２の前方部分は、円形リム部１１６に近接して配置される。この結果、円形係合部１４２の前方部分が案内溝１１２により案内されることから、遊技者がスポーク部１１８を強く押圧した場合でも、円形リム部１１６が上下方向に移動することがなく、ハンドル６４を円滑に回動させることができる。
【００９８】
本実施形態では、ハンドル６４が多数の導電性のスポーク部１１８を有する。多数の導電性のスポーク部１１８が内部操作空間ＳＰ２を画定する。この結果、複数の指でハンドルの外周部分を握ってハンドルを回動させる従来の構成に比べ、遊技者は、指先で各スポーク部１１８を軽く引っ掛けてハンドル６４を回動させることができ、ハンドル６４の回動量の調整を容易に行うことができる。
【００９９】
光伝導体６６の円形係合部１４２の前方部分が、案内リング６２の案内溝１１２に嵌合することにより、ハンドル６４の円形リム部１１６が回動可能に支持される。また、ハンドル６４の小突出部分１３６と係合する導電リング７６が摺接体７８と摺接することにより、ハンドル６４の回動軸部１１４が回動可能に支持される。この結果、ハンドル６４は、円形リム部１１６と回動軸部１１４との２箇所で支持されることから、回動軸線ＡＸに対して捩じれることなく円滑に回動することができる。
【０１００】
本実施形態では、停止ボタン操作部１８２が、収容ケース６４の保持溝１０６Ｇと取付ベース７０の保持溝１７４Ｇとにより形成される空間に揺動可能に配置され、収容ケース６４の外部から操作される。ハンドル６４は、収容ケース６４の収容空間ＳＰ１の内部に配置される。この結果、停止ボタン操作部がハンドルに近接して配置される従来の構成に比べ、遊技者が、ハンドル６４の回動操作中に、停止ボタン操作部を誤って操作して遊技球の発射を停止させてしまうことを確実に防止することができる。
【０１０１】
本実施形態では、載置部１０２が、収容ケース６４の筒状ベース部１００の下方部分から前方に延びる。収容ケース６４の開口部１０４は載置部１０２の載置面１０２Ａに近接した位置で前方に開放する。この結果、図２５に示すように、遊技者は、手のひらＰＡを載置面１０２Ａに載せた状態で、指先ＦＮを開口部１０４から挿入してハンドル６４に接触することができ、手指ＨＡに疲労感を覚えることなく遊技に長時間集中することができる。
【０１０２】
＜構成の対応関係＞
パチンコ遊技機１、および発射ハンドル装置４０は、本発明の弾球遊技機、および発射ハンドル装置の一例である。収容ケース６０、および開口部１０４が、本発明の収容ケース、および開口部の一例である。開口部１０４が開放する前方向が、本発明の開口部の開放方向の一例である。筒状ベース部１００、および収容空間ＳＰ１が、本発明の壁面部、および収容空間の一例である。ハンドル６４、回動軸部１１４、および円形リム部１１６が、本発明のハンドル、回動軸部、および円形リム部の一例である。多数のスポーク部１１８が、本発明の内周形成部、および多数の導電性のスポーク部の一例である。内部操作空間ＳＰ２が、本発明の内部操作空間の一例である。ハンドル６４の回動軸線ＡＸが、本発明のハンドルの回動軸線の一例である。導電リング７２、摺接体７８、およびタッチセンサ８０が、本発明の接触検出部の一例である。導電リング７２、摺接体７８、および取付ベース７０が、本発明の環状部材、摺接部材、および装置フレームの一例である。覆い壁部１０５が、本発明の覆い部の一例である。案内リング６２、および光伝導体６６が、本発明の円形案内部、および、ハンドルに取り付けられる部材の一例である。載置部１０２、および載置面１０２Ａが、本発明の載置部、および載置面の一例である。連結歯車８６、およびダンパ機構８８が、本発明の抵抗付与手段の一例である。オイルダンパ１９８、出力軸部２００、出力歯車２００、および連結歯車８６が、本発明のオイルダンパ、回動出力軸、第１歯車、および第２歯車の一例である。検出円板８２、回動センサ８４、およびカウンタ回路３０４が、本発明の回動検出部の一例である。カウンタ回路３０４、およびソレノイド駆動回路３０６は、本発明の発射強度設定部の一例である。ソレノイド駆動回路３０６、および発射タイミング回路３１２が、本発明の作動部の一例である。ロータリソレノイド３０８、および打撃ハンマ３１０が、本発明の打撃部の一例である。
【０１０３】
＜変形例＞
本発明は、本実施形態に限定されることはなく、その趣旨を逸脱しない範囲において種々の変形が可能である。以下にその変形の一例を述べる。
【０１０４】
（１）本実施形態では、収容ケース６０の筒状ベース部１００は、ハンドル６４の多数のスポーク部１１８を円周方向に覆う構成であるが、この構成に限定されない。たとえば、遊技者の身体の一部が不用意に接触することがない筒状ベース部１００の下方部分において、多数のスポーク部１１８のうちの一部のスポーク部が下方に露出する構成であってもよい。
【０１０５】
（２）本実施形態では、載置部１０２が筒状ベース部１００の下方部分から前方に常時延びている構成であるが、この構成に限定されない。たとえば、載置部１０２の全てを筒状ベース部１００から取り除いた構成であってもよい。または、載置部１０２の前方への延出長さが、遊技者の操作により調整される構成であってもよいし、載置部１０２が前方に延出する延出位置と、筒状ベース部１００の内部に退避する退避位置との間で変位可能に構成されてもよい。
【０１０６】
（３）本実施形態では、導電リング７６がハンドル６４の回動軸部１２２に取り付けられ、タッチセンサ８０と電気的に接続される摺接体７８が、導電リング７６と摺接する構成であるが、この構成に限定されない。たとえば、案内リング６２が、導電性を有する材料から成形され、ハンドル６４の円形リム部１１６と接触して案内する構成であれば、タッチセンサ８０が、案内リング６２と電気的に接続される構成であってもよい。
【０１０７】
（４）本実施形態では、ハンドル６４は多数の導電性のスポーク部１１８を有し、多数のスポーク部１１８が内部操作空間ＳＰ２を画定する構成であるが、この構成に限定されない。たとえば、多数のスポーク部１１８に代えて、ハンドル６４が連続する内周面を有する場合には、その連続する内周面が内部操作空間ＳＰ２を画定する構成となる。この変形例では、連続する内周面が、凹凸形状に形成され、遊技者の指先が内周面に引っ掛かり易い表面形状であることが好ましい。
【０１０８】
（５）本実施形態では、後方ユニット部５０が前方ユニット部４８に取り付けられることにより、発射ハンドル装置４０が１つのユニットとして組み立てられる。発射ハンドル装置４０は、パチンコ遊技機１に固定される取付フレーム４２に取り付けられるが、この発射ハンドル装置４０の構成に限定されない。たとえば、後方ユニット部５０、および前方ユニット部４８が、１つのユニットに組み立てられることなく、取付フレーム４２に個別に取り付けられる構成であってもよい。
【０１０９】
（６）本実施形態では、ハンドル６４の回動軸部１１４は、円形板状部分１２０と、円筒形状部分１２２と、を含む。円筒形状部分１２２は、図９に示すように、円形板状部分１２０から後方に延びる構成であるが、この構成に限定されない。たとえば、円形板状部分１２０が、前後方向に肉厚に形成され、回動可能に支持されるのであれば、円筒形状部分１２２に相当する部分を不要にすることができる。
【０１１０】
（７）本実施形態では、光伝導体６６の円形係合部１４２の前方部分が、案内リング６２の案内溝１１２に嵌合することにより、ハンドル６４の円形リム部１１６が回動可能に支持される。ハンドル６４の小突出部分１３６と係合する導電リング７６が摺接体７８と摺接することにより、ハンドル６４の回動軸部１１４が回動可能に支持される。ハンドル６４は、２箇所で回動可能に支持される構成であるが、この構成に限定されない。たとえば、ハンドル６４が回動軸線ＡＸに対して捩れることなく回動することができるのであれば、円形リム部１１６および回動軸部１１４のいずれか１箇所でハンドル６４を支持する構成であってもよい。
【０１１１】
（８）本実施形態では、ダンパ機構８８は、連結歯車８６が取り付けられるハンドル６４の回動軸部１１４に回動抵抗を付与する構成であるが、この構成に限定されない。たとえば、機械的弾性手段が、ハンドル６４の円形リム部１１６と係合して回動抵抗を円形リム部に付与する構成であってもよい。
【０１１２】
（９）本実施形態では、タッチ判断回路３０２、およびカウンタ回路３０４が、第１制御回路３００と別個に設けられる構成であるが、この構成に限定されない。たとえば、タッチ判断回路３０２、およびカウンタ回路３０４の機能が、第１制御回路３００に組み込まれることにより、ソフトウエアにより達成される構成であってもよい。
【０１１３】
（１０）本実施形態では、特許文献１に記載されるようなロータリソレノイド３０８が使用されるが、この構成に限定されない。たとえば、ロータリソレノイドに代えて、クラッパ型のソレノイドが使用されてもよい。クラッパ型のソレノイドの構成は、特開２００８−１３２１４９号公報などにより公知である。
【符号の説明】
【０１１４】
１    パチンコ遊技機
４０    発射ハンドル装置
６０    収容ケース
６２    案内リング
６４    ハンドル
６６    光伝導体
７０    取付ベース
７２    導電リング
７８    摺接体
８０    タッチセンサ
８２    検出円板
８４    回動センサ
８６    連結歯車
８８    ダンパ機構
１００    筒状ベース部
１０２    載置部
１０２Ａ    載置面
１０４    開口部
１０５    覆い壁部１０５
１１４    回動軸部
１１６    円形リム部
１１８    多数のスポーク部
１９８    オイルダンパ
２００    出力軸部
２０２    出力歯車
３００    制御回路
３０４    カウンタ回路
３０６    ソレノイド駆動回路
３０８    ロータリソレノイド
３１０    打撃ハンマ
３１２    発射タイミング回路
ＳＰ１    収容空間
ＳＰ２    内部操作空間
ＡＸ    回動軸線
【図１】
2018099219.tif 000003
【図２】
2018099219.tif 000004
【図３】
2018099219.tif 000005
【図４】
2018099219.tif 000006
【図５】
2018099219.tif 000007
【図６】
2018099219.tif 000008
【図７】
2018099219.tif 000009
【図８】
2018099219.tif 000010
【図９】
2018099219.tif 000011
【図１０】
2018099219.tif 000012
【図１１】
2018099219.tif 000013
【図１２】
2018099219.tif 000014
【図１３】
2018099219.tif 000015
【図１４】
2018099219.tif 000016
【図１５】
2018099219.tif 000017
【図１６】
2018099219.tif 000018
【図１７】
2018099219.tif 000019
【図１８】
2018099219.tif 000020
【図１９】
2018099219.tif 000021
【図２０】
2018099219.tif 000022
【図２１】
2018099219.tif 000023
【図２２】
2018099219.tif 000024
【図２３】
2018099219.tif 000025
【図２４】
2018099219.tif 000026
【図２５】
2018099219.tif 000027